(57)【要約】  【課題】  ユーザがプレイリストの編集をする必要がなく、記録したテレビ番組のうち同じシリーズのテレビ番組を連続して視聴できるように自動的に再生できる機能を有するディスク記録再生装置を提供する。  【解決手段】  記録予約モードが記録予約モード設定手段により設定され、放送曜日と予約時間帯とチャンネルとを含む予約情報が予約情報設定手段により設定される。その後、前記予約情報が示す各予約に対する記録が完了したと記録完了判定手段により判定されたとき、前記予約情報に基づいて各プレイリストが第１のプレイリスト作成手段により作成される。前記作成された各プレイリストを前記予約情報の同じ放送曜日と同じ時間帯と同じチャンネルに基づいて並べ替えたプレイリストが第２のプレイリスト作成手段により作成される。そして、再生時には前記並べ替えたプレイリストによる再生順でテレビ番組が再生される。【選択図】      図２
2006147094.tif 000002
【特許請求の範囲】
【請求項１】
ディスクに対して情報の記録／再生を行うディスク記録再生装置において、毎週予約で
記録することが可能な記録予約モードに設定する記録予約モード設定手段と、テレビ番組
の放送曜日と予約時間帯とチャンネルとを含む予約情報を設定する予約情報設定手段と、
前記予約情報が示す各予約に対する記録が完了したか否かを判定する記録完了判定手段と
、前記記録が完了したと判定されたとき前記予約情報に基づいて各プレイリストを作成す
る第１のプレイリスト作成手段と、前記作成された各プレイリストを前記予約情報の同じ
放送曜日と同じ予約時間帯と同じチャンネルに基づいて並べ替えたプレイリストを作成す
る第２のプレイリスト作成手段と、前記並べ替えたプレイリストによる再生順で再生を行
うように制御する再生制御手段とを有するシステムコントローラを備えたことを特徴とす
るディスク記録再生装置。
【請求項２】
ディスクに対して情報の記録／再生を行うディスク記録再生装置において、毎週予約で
記録することが可能な記録予約モードに設定する記録予約モード設定手段と、テレビ番組
の放送曜日と予約時間帯とチャンネルとを含む予約情報を設定する予約情報設定手段と、
前記予約情報が示す各予約に対する記録が完了したか否かを判定する記録完了判定手段と
、前記記録が完了したと判定されたとき前記予約情報に基づいて各プレイリストを作成す
る第１のプレイリスト作成手段と、前記作成された各プレイリストを前記予約情報に基づ
いて並べ替えたプレイリストを作成する第２のプレイリスト作成手段と、前記並べ替えた
プレイリストによる再生順で再生を行うように制御する再生制御手段とを有するシステム
コントローラを備えたことを特徴とするディスク記録再生装置。
【請求項３】
前記第２のプレイリスト作成手段は、前記第１のプレイリスト作成手段により作成され
た各プレイリストを前記予約情報の同じ放送曜日と同じ予約時間帯と同じチャンネルに基
づいて並べ替えたプレイリストを作成することを特徴とする請求項２に記載のディスク記
録再生装置。
【発明の詳細な説明】
【技術分野】
【０００１】
本発明は、ＤＶＤ（デジタル・バーサタイル・ディスク）レコーダや、ＨＤＤ（ハード
ディスク）レコーダなどのディスク記録再生装置に関し、特に、記録したテレビ番組のプ
レイリストの作成処理に関する。
【背景技術】
【０００２】
近年、カセットテープレコーダに代わり、ＤＶＤレコーダやＨＤＤレコーダなどのディ
スク記録再生装置が普及している。このようなディスク記録再生装置は、テレビ番組など
の映像音声情報を記録するのに用いられている。
【０００３】
例えば、ＤＶＤレコーダなどのディスク記録再生装置にテレビ番組を毎日予約で記録す
る場合、ＤＶＤ−ＲＷなどの書き換え可能な光ディスクをディスク記録再生装置に装填し
、ディスク記録再生装置を記録予約モードに設定する。そして、例えば、図５に示すよう
な予約情報を設定する。
【０００４】
図５においては、第一週月曜日のＡＭ８：００〜ＡＭ９：００の８チャンネルのテレビ
番組Ａ、第一週月曜日のＰＭ９：００〜ＰＭ１０：００の２チャンネルのテレビ番組Ｂ、
第二週月曜日のＡＭ８：００〜ＡＭ９：００の８チャンネルのテレビ番組Ａ、第二週月曜
日のＰＭ９：００〜ＰＭ１０：００の２チャンネルのテレビ番組Ｂ、第三週月曜日のＡＭ
８：００〜ＡＭ９：００の８チャンネルのテレビ番組Ａ、第三週月曜日のＰＭ９：００〜
ＰＭ１０：００の２チャンネルのテレビ番組Ｂ、第四週月曜日のＡＭ８：００〜ＡＭ９：
００の８チャンネルのテレビ番組Ａ、第四週月曜日のＰＭ９：００〜ＰＭ１０：００の２
チャンネルのテレビ番組Ｂが、予約情報として装置のメモリに記録されることを示してい
る。
【特許文献１】特開２００２−３６９１３８号公報
【特許文献２】特開２００３−２２８９２０号公報
【特許文献３】特開２００４−１２８７７４号公報
【発明の開示】
【発明が解決しようとする課題】
【０００５】
ところで、従来のディスク記録再生装置では、プレイリストはテレビ番組を記録した放
送曜日と予約時間帯を参照して作成される。例えば、図５に示すような予約情報の場合、
（１）（２）（３）（４）（５）（６）（７）（８）の順のプレイリストが作成される。
したがって、再生時には、プレイリストに従って（１）（２）（３）（４）（５）（６）
（７）（８）の順に再生されるので、テレビ番組Ａ、テレビ番組Ｂ、テレビ番組Ａ、テレ
ビ番組Ｂ、テレビ番組Ａ、テレビ番組Ｂ、テレビ番組Ａ、テレビ番組Ｂと再生される。
【０００６】
しかしながら、従来のディスク記録再生装置においては、記録したテレビ番組のうち同
じシリーズのテレビ番組を連続して視聴したい場合、記録後に再生順を変えるためのプレ
イリストの編集をしなければならないので、編集するのに時間と手間がかかり、また、編
集のための操作が煩わしいという課題があった。
【０００７】
なお、特許文献１の従来技術は、ビデオオブジェクトと該ビデオオブジェクトの再生を
管理する管理情報とを記録する情報記録媒体であって、情報記録媒体の記録内容をプログ
ラム単位およびプレイリスト単位で管理するための情報記録媒体管理情報を記録すること
が可能にしたものであるが、記録したテレビ番組のうち同じシリーズのテレビ番組を連続
して視聴したい場合、記録後に再生順を変えるためのプレイリストの編集をしなければな
らないので、上記のような課題を解決することができるものではない。
【０００８】
特許文献２の従来技術においては、番組コンテンツデータの番組配列情報を含む管理情
報を有するが、その番組配列情報は、記録したテレビ番組のうち同じシリーズのテレビ番
組を連続して視聴したい場合、記録後に再生順を変えるためのプレイリストの編集をしな
ければならないので、この従来技術も、上記のような課題を解決することができるもので
はない。
【０００９】
特許文献３の従来技術においては、光ディスク等に、例えば、複数の番組あるいは複数
のビデオ解像度、パレンタルレベルやアングルなどを含むコンテンツ情報を効率的に記録
し、それらのうち所望のものを選択して再生できるようにしているが、この従来技術も、
記録したテレビ番組のうち同じシリーズのテレビ番組を連続して視聴したい場合、記録後
に再生順を変えるためのプレイリストの編集をしなければならないので、上記のような課
題を解決することができるものではない。
【００１０】
本発明は、上記のような課題を解決するためになされたもので、ユーザがプレイリスト
の編集をする必要がなく、記録したテレビ番組のうち同じシリーズのテレビ番組を連続し
て視聴できるように自動的に再生できる機能を有するディスク記録再生装置を提供するこ
とを目的とする。
【課題を解決するための手段】
【００１１】
上記目的を達成するために、請求項１の発明は、毎週予約で記録することが可能な記録
予約モードに設定する記録予約モード設定手段と、テレビ番組の放送曜日と予約時間帯と
チャンネルとを含む予約情報を設定する予約情報設定手段と、前記予約情報が示す各予約
に対する記録が完了したか否かを判定する記録完了判定手段と、前記記録が完了したと判
定されたとき前記予約情報に基づいて各プレイリストを作成する第１のプレイリスト作成
手段と、前記作成された各プレイリストを前記予約情報の同じ放送曜日と同じ予約時間帯
と同じチャンネルに基づいて並べ替えたプレイリストを作成する第２のプレイリスト作成
手段と、前記並べ替えたプレイリストによる再生順でテレビ番組を再生するように制御す
る再生制御手段とを有するシステムコントローラを備えたことを特徴とするディスク記録
再生装置を提供する。
【００１２】
この構成において、記録予約モードが記録予約モード設定手段により設定され、放送曜
日と予約時間帯とチャンネルとを含む予約情報が予約情報設定手段により設定される。そ
の後、前記予約情報が示す各予約に対する記録が完了したと記録完了判定手段により判定
されたとき、前記予約情報に基づいて各プレイリストが第１のプレイリスト作成手段によ
り作成される。前記作成された各プレイリストを前記予約情報の同じ放送曜日と同じ予約
時間帯と同じチャンネルに基づいて並べ替えたプレイリストが第２のプレイリスト作成手
段により作成される。そして、再生時には再生制御手段により制御され、前記並べ替えた
プレイリストによる再生順でテレビ番組が再生される。
【００１３】
この構成によれば、毎週予約で一日に複数のテレビ番組を記録した場合、記録した放送
曜日と予約時間帯とチャンネルを参照することで、放送内容毎に自動的に並び替えてプレ
イリストが作成されるので、記録後にユーザがプレイリストの編集をする手間が省け、ま
た、再生時には、最初の記録番組を選択することで、引き続き同番組の記録内容を自動的
に再生できるので、視聴したいテレビ番組の再生操作が簡単になり、使い勝手が良くなる
。
【００１４】
請求項２の発明は、毎週予約で記録することが可能な記録予約モードに設定する記録予
約モード設定手段と、テレビ番組の放送曜日と予約時間帯とチャンネルとを含む予約情報
を設定する予約情報設定手段と、前記予約情報が示す各予約に対する記録が完了したか否
かを判定する記録完了判定手段と、前記記録が完了したと判定されたとき前記予約情報に
基づいて各プレイリストを作成する第１のプレイリスト作成手段と、前記作成された各プ
レイリストを前記予約情報に基づいて並べ替えたプレイリストを作成する第２のプレイリ
スト作成手段と、前記並べ替えたプレイリストによる再生順でテレビ番組を再生するよう
に制御する再生制御手段とを有するシステムコントローラを備えたことを特徴とするディ
スク記録再生装置を提供する。
【００１５】
この構成において、記録予約モードが記録予約モード設定手段により設定され、放送曜
日と予約時間帯とチャンネルとを含む予約情報が予約情報設定手段により設定される。そ
の後、前記予約情報が示す各予約に対する記録が完了したと記録完了判定手段により判定
されたとき、前記予約情報に基づいて各プレイリストが第１のプレイリスト作成手段によ
り作成される。前記作成された各プレイリストを前記予約情報に基づいて並べ替えたプレ
イリストが第２のプレイリスト作成手段により作成される。そして、再生時には再生制御
手段により制御され、前記並べ替えたプレイリストによる再生順でテレビ番組が再生され
る。
【００１６】
この構成によれば、毎週予約で一日に複数のテレビ番組を記録した場合、予約情報を参
照することで、ユーザの所望するように並び替えられたプレイリストが作成できるので、
記録後にユーザがプレイリストの編集をする手間が省け、再生時には、最初の記録番組を
選択することで、引き続き同番組の記録内容を自動的に再生できるので、視聴したいテレ
ビ番組の再生操作が簡単になり、使い勝手が良くなる。
【００１７】
請求項３の発明では、請求項２の発明において、前記第２のプレイリスト作成手段は、
前記第１のプレイリスト作成手段により作成された各プレイリストを前記予約情報の同じ
放送曜日と同じ予約時間帯と同じチャンネルに基づいて並べ替えたプレイリストを作成す
るので、放送内容毎の順番にテレビ番組を再生することが可能になる。
【発明の効果】
【００１８】
以上のように本発明によれば、毎週予約で記録することが可能な記録予約モードに設定
する記録予約モード設定手段と、テレビ番組の放送曜日と予約時間帯とチャンネルとを含
む予約情報を設定する予約情報設定手段と、前記予約情報が示す各予約に対する記録が完
了したか否かを判定する記録完了判定手段と、前記記録が完了したと判定されたとき前記
予約情報に基づいて各プレイリストを作成する第１のプレイリスト作成手段と、前記作成
された各プレイリストを前記予約情報の同じ放送曜日と同じ予約時間帯と同じチャンネル
に基づいて並べ替えたプレイリストを作成する第２のプレイリスト作成手段と、前記並べ
替えたプレイリストによる再生順でテレビ番組を再生するように制御する再生制御手段と
を有するシステムコントローラを備えたので、毎週予約で一日に複数のテレビ番組を記録
した場合、記録した放送曜日と予約時間帯とチャンネルを参照することで、放送内容毎に
自動的に並び替えてプレイリストを作成することができ、これにより、記録後にユーザが
プレイリストの編集をする手間が省け、再生時には、最初の記録番組を選択することで、
引き続き同番組の記録内容を自動的に再生でき、したがって、視聴したいテレビ番組の再
生操作が簡単になり、使い勝手が良くなる。
【００１９】
また、本発明によれば、毎週予約で記録することが可能な記録予約モードに設定する記
録予約モード設定手段と、テレビ番組の放送曜日と予約時間帯とチャンネルとを含む予約
情報を設定する予約情報設定手段と、前記予約情報が示す各予約に対する記録が完了した
か否かを判定する記録完了判定手段と、前記記録が完了したと判定されたとき前記予約情
報に基づいて各プレイリストを作成する第１のプレイリスト作成手段と、前記作成された
各プレイリストを前記予約情報に基づいて並べ替えたプレイリストを作成する第２のプレ
イリスト作成手段と、前記並べ替えたプレイリストによる再生順でテレビ番組を再生する
ように制御する再生制御手段とを有するシステムコントローラを備えたので、毎週予約で
一日に複数のテレビ番組を記録した場合、予約情報を参照することで、ユーザの所望する
ように並び替えられたプレイリストを作成でき、これにより、記録後にユーザがプレイリ
ストの編集をする手間が省け、再生時には、最初の記録番組を選択することで、引き続き
同番組の記録内容を自動的に再生でき、したがって、視聴したいテレビ番組の再生操作が
簡単になり、使い勝手が良くなる。
【発明を実施するための最良の形態】
【００２０】
以下、添付図面を参照しつつ、本発明の実施の形態について説明する。図１は本発明の
一実施形態に係るディスク記録再生装置としてのＤＶＤレコーダの構成を示すブロック図
である。
【００２１】
このＤＶＤレコーダは、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２２】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２３】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２４】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２５】
また、このＤＶＤレコーダは、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置全
体を制御する前記システムコントローラ２２とを備えている。
【００２６】
また、このＤＶＤレコーダは、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００２７】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２８】
システムコントローラ２２には、本実施形態の特徴とする構成要素として、毎週予約で
記録することが可能な記録予約モードに設定する記録予約モード設定手段２２１と、テレ
ビ番組の放送曜日と予約時間帯とチャンネルとを含む予約情報を設定する予約情報設定手
段２２２と、前記予約情報が示す各予約に対する記録が完了したか否かを判定する記録完
了判定手段２２３と、前記記録が完了したと判定されたとき前記予約情報に基づいて各プ
レイリストを作成する第１のプレイリスト作成手段２２４と、前記作成された各プレイリ
ストを前記予約情報の同じ放送曜日と同じ予約時間帯と同じチャンネルに基づいて並べ替
えたプレイリストを作成する第２のプレイリスト作成手段２２５と、前記並べ替えたプレ
イリストによる再生順でテレビ番組を再生するように制御する再生制御手段２２６とを有
する。
【００２９】
図２は本実施形態においてプレイリスト作成処理を説明するためのフローチャートであ
る。このフローチャートを参照してプレイリスト作成処理を説明する。
【００３０】
本実施形態のＤＶＤレコーダによりテレビ番組を毎日予約で記録する場合、ＤＶＤ−Ｒ
Ｗなどの書き換え可能な光ディスク１をＤＶＤレコーダに装填し（ステップＳ１）、毎週
予約で記録できるような操作をリモコン２１で行うと、これに応答してシステムコントロ
ーラ２２の記録予約モード設定手段２２１は、装置を毎週の記録予約モードに設定する（
ステップＳ２）。そして、予約情報設定手段２２２は、ユーザが操作したリモコン２１か
らの指示により、例えば、前述した図５に示すような曜日と予約時間帯とチャンネルを示
す予約情報を設定する（ステップＳ３）。
【００３１】
このように予約情報が設定された後、予約の曜日と予約の時間帯が来れば、テレビ番組
が自動的に光ディスク１に記録される。例えば、図５に示すように、第一週月曜日のＡＭ
８：００が来れば、８ＣＨ（チャンネル）のテレビ番組Ａが記録開始され、ＡＭ９：００
で記録が完了する。この記録完了は記録完了判定手段２２３により判定され（ステップＳ
４）、第１のプレイリスト作成手段２２４は、このテレビ番組Ａの予約情報（第一週月曜
日、ＡＭ８：００〜ＡＭ９：００、８ＣＨ）に基づいてプレイリストを作成する（ステッ
プＳ５）。
【００３２】
図３は本実施形態における光ディスクのディスクファイルの構成を示し、このディスク
ファイルは、ファイルシステム、ディスク情報ファイル、プレイリスト情報ファイル、オ
ブジェクト情報ファイル、およびオブジェクトデータファイルから構成され、前記第１の
プレイリスト作成手段２２４で作成されたプレイリストや、後記第２のプレイリスト作成
手段２２５で作成されたプレイリストは、前記プレイリスト情報ファイルに格納される。
【００３３】
次に、ステップＳ６では、記録完了判定手段２２３は、次のテレビ番組の予約に対する
記録が完了したか否かを判定する。例えば、図５において、第一週月曜日のＰＭ９：００
〜ＰＭ１０：００の２ＣＨのテレビ番組Ｂの記録が完了したか否かを判定し、完了すれば
、第１のプレイリスト作成手段２２４は、このテレビ番組Ｂの予約情報（第一週月曜日、
ＰＭ９：００〜ＰＭ１０：００、２ＣＨ）に基づいてプレイリストを作成し（ステップＳ
７）、光ディスク１上のプレイリスト情報ファイルに格納する。
【００３４】
このような処理を繰り返し、予約分の記録は全部終ったと判定されると（ステップＳ８
）、第２のプレイリスト作成手段２２５は、所望の再生順に従ったプレイリストを作成す
る（ステップＳ９）。第２のプレイリスト作成手段２２５は、例えば、図４に示すように
、第一週月曜日のＡＭ８：００〜ＡＭ９：００の８ＣＨのテレビ番組Ａを示すプレイリス
ト（１）、第二週月曜日のＡＭ８：００〜ＡＭ９：００の８ＣＨのテレビ番組Ａを示すプ
レイリスト（３）、第三週月曜日のＡＭ８：００〜ＡＭ９：００の８ＣＨのテレビ番組Ａ
を示すプレイリスト（５）、第四週月曜日のＡＭ８：００〜ＡＭ９：００の８ＣＨのテレ
ビ番組Ａを示すプレイリスト（７）、第一週月曜日のＰＭ９：００〜ＰＭ１０：００の２
ＣＨのテレビ番組Ｂを示すプレイリスト（２）、第二週月曜日のＰＭ９：００〜ＰＭ１０
：００の２ＣＨのテレビ番組Ｂを示すプレイリスト（４）、第三週月曜日のＰＭ９：００
〜ＰＭ１０：００の２ＣＨのテレビ番組Ｂを示すプレイリスト（６）、第四週月曜日のＰ
Ｍ９：００〜ＰＭ１０：００の２ＣＨのテレビ番組Ｂを示すプレイリスト（８）という順
番にプレイリストを並べ替え、光ディスク１上のプレイリスト情報ファイルに格納する。
【００３５】
次にユーザがリモコン２１を操作して再生モードに設定されると（ステップＳ１０）、
プレイリストが光ディスク１のプレイリスト情報ファイルから読み出され、ディスプレイ
装置２０に表示される。このプレイリストとしては、テレビ番組の最初の場面、記録され
た曜日、記録された時間帯、チャンネルなどが表示される。そして、システムコントロー
ラ２２の再生制御手段２２６は、プレイリストによる再生順で自動再生を行う（ステップ
Ｓ１１）。例えば、図４に示すようなプレイリスト（１）（３）（５）（７）（２）（４
）（６）（８）の順でテレビ番組が再生される。そして、光ディスク１に記録されている
テレビ番組の再生が終了すると（ステップＳ１２）、本処理は終了する。
【００３６】
なお、上記実施形態では、ＤＶＤレコーダのシステムコントローラに、毎週予約で記録
することが可能な記録予約モードに設定する記録予約モード設定手段と、テレビ番組の放
送曜日と予約時間帯とチャンネルとを含む予約情報を設定する予約情報設定手段と、前記
予約情報が示す各予約に対する記録が完了したか否かを判定する記録完了判定手段と、前
記記録が完了したと判定されたとき前記予約情報に基づいて各プレイリストを作成する第
１のプレイリスト作成手段と、前記作成された各プレイリストを前記予約情報の同じ放送
曜日と同じ予約時間帯と同じチャンネルに基づいて並べ替えたプレイリストを作成する第
２のプレイリスト作成手段と、前記並べ替えたプレイリストによる再生順でテレビ番組を
再生するように制御する再生制御手段と設けてプレイリスト作成処理を実現したが、ＨＤ
Ｄレコーダのシステムコントローラに、同様な手段を設ければ、同様なプレイリスト作成
処理を実現できることは言うまでもない。
【００３７】
以上説明したように本実施形態によれば、毎週予約で一日に複数のテレビ番組を記録し
た場合、記録した放送曜日と時間帯とチャンネルを参照することで、放送内容毎に自動的
に並び替えてプレイリストが作成されるので、記録後にユーザがプレイリストの編集をす
る手間が省け、また、再生時には、最初の記録番組を選択することで、引き続き同番組の
記録内容を自動的に再生できるので、視聴したいテレビ番組の再生操作が簡単になり、使
い勝手が良くなる。
【図面の簡単な説明】
【００３８】
【図１】本発明の一実施形態に係るディスク記録再生装置としてのＤＶＤレコーダの構成を示すブロック図である。
【図２】前記実施形態においてプレイリスト作成処理を説明するためのフローチャートである。
【図３】前記実施形態における光ディスクのディスクファイルの構成図である。
【図４】前記実施形態において並べ替えられたプレイリストを示す図である。
【図５】従来のディスク記録再生装置および前記実施形態における予約情報を説明するための図である。
【符号の説明】
【００３９】
１    光ディスク
２２    システムコントローラ
２２１    記録予約モード設定手段
２２２    予約情報設定手段
２２３    記録完了判定手段
２２４    第１のプレイリスト作成手段
２２５    第２のプレイリスト作成手段
２２６    再生制御手段
【図１】
2006147094.tif 000003
【図２】
2006147094.tif 000004
【図３】
2006147094.tif 000005
【図４】
2006147094.tif 000006
【図５】
2006147094.tif 000007